(57)【要約】【課題】火災検知器が防災受信盤との間でパルス通信する防災システムにおいて、防災システムに各端末機器が接続されていない場合でも、防災受信盤の各端末機器から火災信号や火災以外の状態信号を受信したことを想定した機能を確認することができる防災システムの模擬端末を提供することを目的とする。【解決手段】信号線を介して、防災受信盤に接続される端末機器と同等の擬似信号である信号パルスを発生させる防災システムの模擬端末において、上記信号パルスを設定するためにパルス幅、パルス間隔を入力する入力手段と、上記入力されたパルス幅、パルス間隔に応じて、信号パルスを生成する信号パルス生成手段と、上記生成された信号パルスを送信する信号パルス送信手段とを有する防災システムの模擬端末である。【選択図】図２
2011215944.tif 000002
【特許請求の範囲】
【請求項１】
信号線を介して、防災受信盤に接続される端末機器と同等の擬似信号である信号パルスを発生させる防災システムの模擬端末において、
上記信号パルスを設定するためにパルス幅、パルス間隔を入力する入力手段と；
上記入力されたパルス幅、パルス間隔に応じて、信号パルスを生成する信号パルス生成手段と；
上記生成された信号パルスを送信する信号パルス送信手段と；
を有することを特徴とする防災システムの模擬端末。
【請求項２】
請求項１において、
上記信号パルス送信手段が送信した信号パルスを表示する表示手段を有することを特徴とする防災システムの模擬端末。
【請求項３】
請求項１において、
上記信号パルスは、複数の火災検知器の火災パルス、区画短絡を示すパルスであることを特徴とする防災システムの模擬端末。
【発明の詳細な説明】
【技術分野】
【０００１】
本発明は、防災システムの模擬端末に関する。
【背景技術】
【０００２】
従来の防災システムの動作点検装置において、火災感知器感度切替スイッチが設けられ、この火災感知器感度切替スイッチを切り替えることによって、実際に接続される予定の火災感知器に対応して感度レベルを設定することができる（たとえば、特許文献１参照）。この設定された感度レベルを閾値とし、火災感知器が、発報する信号を疑似的に発生し、受信機に送出する。
【０００３】
たとえば、煙感知器に対応させる場合、火災感知器感度切替スイッチを使用して、感度（煙濃度）を５％／ｍ、１０％／ｍ、１５％／ｍに設定することによって、それぞれ、予報、火災報、連動報として、動作点検装置側から発報することができる。
【先行技術文献】
【特許文献】
【０００４】
【特許文献１】特開平９−０３５１６７号公報
【発明の概要】
【発明が解決しようとする課題】
【０００５】
上記従来例は、動作点検装置は、火災感知器感度切替スイッチが、予報、火災、連動に設定されると、デジタル信号変換部によって予め設定された各発報信号を示すデジタル信号を受信盤に送出していた。ただし、火災感知器の火災以外の状態は送信することができない。また、動作点検装置は、予め設定された信号しか送信できないという問題がある。
【０００６】
本発明は、火災検知器等の模擬端末が防災受信盤との間でパルス通信する防災システムにおいて、防災システムに各端末機器が接続されていない場合でも、防災受信盤の各端末機器から火災信号や火災以外の状態信号を受信したことを想定した機能を確認することができる防災システムの模擬端末を提供することを目的とする。
【課題を解決するための手段】
【０００７】
本発明は、信号線を介して、防災受信盤に接続される端末機器と同等の擬似信号である信号パルスを発生させる防災システムの模擬端末において、上記信号パルスを設定するためにパルス幅、パルス間隔を入力する入力手段と、上記入力されたパルス幅、パルス間隔に応じて、信号パルスを生成する信号パルス生成手段と、上記生成された信号パルスを送信する信号パルス送信手段とを有することを特徴とする防災システムの模擬端末である。
【発明の効果】
【０００８】
本発明によれば、火災検知器が防災受信盤との間でパルス通信する防災システムにおいて、防災システムに各端末機器が接続されていない場合でも、防災受信盤の各端末機器から状態信号等を受信したことを想定した機能を確認することができるという効果を奏する。
【０００９】
また、本発明によれば、模擬端末は、使用者の操作入力によって任意の模擬信号を設定できるので、各端末機器の様々な状態を示すパルスを防災受信盤に送信できるという効果を奏する。
【図面の簡単な説明】
【００１０】
【図１】本発明の実施例１である模擬トンネル火災検知器３０が使用されている防災システム１００のシステム接続図である。
【図２】実施例の動作を示すフローチャートであり、防災受信盤１０が模擬トンネル火災検知器３０から模擬パルスを受信する動作を示す図である。
【図３】実施例における信号パルスの例を示すタイムチャートであり、模擬トンネル火災検知器３０が出力する信号パルスを示す通信フォーマットである。
【発明を実施するための形態】
【００１１】
発明を実施するための形態は、以下の実施例である。
【実施例１】
【００１２】
図１は、本発明の実施例１である模擬トンネル火災検知器３０が使用されている防災システム１００のシステム接続図である。
【００１３】
防災システム１００は、防災受信盤１０と、実機の火災検知器２０ａ、２０ｂ、２０ｃ、２０ｄと、から構成される。実機の火災検知器２０ａ、２０ｂ、２０ｃ、２０ｄが設置される前に、防災受信盤１０の試験を行う場合、模擬トンネル火災検知器３０を防災受信盤１０に接続する。
【００１４】
防災受信盤１０は、模擬トンネル火災検知器３０あるいは実機の火災検知器２０ａ、２０ｂ、２０ｃ、２０ｄから信号パルスとしての火災パルスを受信する火災パルス受信手段１１と、火災パルス受信手段１１で受信した火災パルスがどの火災検知器からのものであるかを後述するデータベース１５から特定する火災パルス処理手段１２と、火災警報等の防災受信盤１０の統括的な制御を行うメイン制御手段１３と、警報音の鳴動や表示灯の点灯によって火災警報を行う火災警報出力手段１４と、火災の要因による信号パルスや火災以外の要因による信号パルスに対する状態との対応表が格納されたデータベース１５とを有する。
【００１５】
実機の火災検知器２０ａは、火災を検出すると検出信号を出力する火災検出手段２１と、火災検出手段２１が出力した検出信号に応じた火災パルスを生成する信号処理手段２２と、防災受信盤１０に信号パルスとしての火災パルスを送信する火災パルス送信手段２３とを有する。火災検知器２０ｂ、２０ｃ、２０ｄの構成は、火災検知器２０ａの構成と同様である。なお、以下の説明では、火災検知器２０ａに着目して説明するが、他の火災検知器２０ｂ、２０ｃ、２０ｄの場合も、同様である。
【００１６】
模擬トンネル火災検知器３０は、表示・操作手段３１と、データベース３２と、メイン制御手段３３と、火災パルス生成手段３４と、火災パルス送信手段・短絡制御手段３５とを有し、防災システムの模擬端末の例である。
【００１７】
表示・操作手段３１は、防災受信盤１０に接続すべき火災検知器の台数、信号パルスとしての火災パルスの内容を設定する。なお、火災パルスの内容を設定する場合、パルス幅、パルス間隔を１ｍｓ単位で設定する。この設定したパルス幅、パルス間隔をデータベース３２に格納する。また、表示・操作手段３１の操作手段を介して、任意の区画（回線）の火災パルスを出力することができ、たとえば、火災検知器が１００台分の火災パルスを出力することができる。また、同じ火災パルスを繰り返して出力することができ、つまり、リピート機能を有するので、防災受信盤１０の火災パルス受信における繰り返し試験を容易に実行できる。なお、表示・操作手段３１は、火災パルスを設定するためにパルス幅、パルス間隔を入力する入力手段の例である。さらに、後述するように、火災検知器の機種も入力する。
【００１８】
メイン制御手段３３は、表示・操作手段３１から入力された情報に基づき、データベース３２から、該当するパルスデータを取得する。取得したパルス発生処理を実行し、火災パルス生成手段３４，火災パルス送信手段・短絡制御手段３５を経由し、外部へパルスを発生させる機能と、表示・操作手段３１から入力された回線毎の火災パルスの幅、間隔のデータをデータベースに格納する機能とを有する。また、表示・操作手段３１に対し、出力するパルス波形を画面表示するための、パルス情報を、リアルタイムで送信する機能を有する。
【００１９】
パルス生成手段３４は、防災受信盤１０に接続される予定の実機の火災検知器２０ａ〜２０ｄが送信する火災パルスと同様な擬似パルスを生成する。つまり、火災パルス生成手段３４は、上記入力されたパルス幅、パルス間隔に応じて、火災パルスを生成する火災パルス生成手段の例である。
【００２０】
火災パルス送信手段・短絡制御手段３５は、生成された火災パルスを防災受信盤１０に送信する火災パルス送信手段の例である。
【００２１】
また、表示・操作手段３１は、火災パルス送信手段が送信した火災パルスを表示する表示手段の例である。上記火災パルスは、複数の火災検知器の火災の要因による信号パルスや、火災以外の要因による信号パルス、区画短絡を示すパルスである。
【００２２】
次に、上記実施例の動作について説明する。
【００２３】
図２は、上記実施例の動作を示すフローチャートであり、防災受信盤１０が模擬トンネル火災検知器３０から、模擬パルスを受信する動作を示す図である。
【００２４】
図３は、実施例における火災パルスの例を示すタイムチャートであり、模擬トンネル火災検知器３０が出力する火災パルスと、区画短絡とを示す通信フォーマットの例を示す図である。
【００２５】
まず、Ｓ１で、防災受信盤１０に接続すべき火災検知器または検査すべき火災検知器の台数を設定し、Ｓ２で、設定した回線毎に、火災パルスの幅・間隔を設定し、この設定した火災パルスの幅・間隔を回線とともに、データベース３２に格納する。そして、Ｓ３で、模擬的な火災パルスを出力する回線を設定する。つまり、どの回線から模擬的な火災パルスを出力するのかを設定する。
【００２６】
Ｓ２で回線毎に火災パルスの幅・間隔を設定する場合、図３（２）に示すパルス幅（２００ｍｓ）・パルス間隔（６ｓｅｃ）一定の火災パルスをたとえば火災検知器２０ａが接続予定の第１回線用として設定し、たとえば図３（３）に示すパルス幅（２００ｍｓ）一定、パルス間隔（１００ｍｓ〜２０ｓｅｃ）変動の火災パルスをたとえば火災検知器２０ｂが接続予定の第２回線用として設定し、たとえば図３（４）に示すパルス幅（１ｍｓ〜１１ｓｅｃ）変動、パルス間隔（３ｓｅｃ）一定の火災パルスをたとえば火災検知器２０ｃが接続予定の第３回線用として設定し、たとえば図３（５）に示すパルス幅（１０ｍｓ〜５ｓｅｃ）変動、パルス間隔（１０ｍｓ〜６ｓｅｃ）変動の火災パルスをたとえば火災検知器２０ｄが接続予定の第４回線用として設定する。
【００２７】
このように、回線毎に任意に異なる火災パルスを設定することができる。
【００２８】
Ｓ４で、出力設定した回線に割り付けた火災パルスを、データベース３２から読み出し、Ｓ５で、設定された火災パルスを防災受信盤１０に出力し始める。
【００２９】
Ｓ６で、防災受信盤１０に出力中の火災パルスのパルス波形を、表示・操作手段３１のモニタの画面に表示する。よって、使用者は出力中のパルス波形を画面上で確認できる。
【００３０】
Ｓ７で、リピートの設定があるかどうかを判断する。リピートの設定があれば、Ｓ５に戻り、再度、同じ火災パルスを出力する。リピートの設定がなければ、またはリピートの設定があってもそのリピート回数分、連続して火災パルスを出力し、出力中のパルス波形の画面表示の繰り返し動作が終われば、Ｓ８で、火災パルスの出力を終了する。
【００３１】
一方、防災受信盤１０は、模擬トンネル火災検知器３０が出力した火災パルスを受信すると、火災パルス処理手段１２がデータベース１５に格納された対応表を参照して、たとえば、その火災パルスが、後から別途設置され、防災受信盤１０と第１回線によって通信される火災検知器２０ａから出力された火災信号パルスであると特定できる。
【００３２】
防災受信盤１０のデータベース１５は、前述のとおり、端末機器としての火災検知器からの火災パルスが、火災信号または火災以外の状態信号（一過性ノイズ、自動車無線、火災検知器故障等）であるかを特定するための対応表を格納している。さらに、防災受信盤１０の火災パルス処理手段１２は、模擬トンネル火災検知器３０が出力した図３（６）に示す出力信号（Ｈが３０秒以上継続する信号）を受信すると、たとえば、その出力信号が、防災受信盤１０と通信される第２回線の区画短絡であると特定できる。
【００３３】
上記のように、模擬トンネル火災検知器３０に設けられている表示・操作手段３１のモニタを使用して、防災受信盤１０に接続される予定の各端末機器との接続を、事前に確認することができる。
【００３４】
模擬トンネル火災検知器３０では、火災検知器の受光窓の汚損の状態を出力する機能としての「汚損警報出力なし」、「汚損警報出力あり」、「汚損予告警報出力あり」の３機種を表示・操作手段３１で模擬的に設定することができる。上記「汚損警報出力なし」は、故障のみをパルス信号で出力することができる。上記「汚損警報出力あり」は、故障と汚損警報とをパルス信号で出力することができる。上記「汚損予告警報出力あり」は、故障と汚損警報と汚損予告警報とをパルス信号で出力することができる。たとえば汚損警報は、受光窓が８５％汚損（受光量が８５％減光）したときに出力される。また、汚損予告警報は７５％汚損（受光量が７５％減光）したときに出力される。模擬トンネル火災検知器３０に火災検知器のタイプ（機種）を入力することによって、防災受信盤１０が、たとえば故障を受信した場合、どのタイプからの故障であるかを、判別することができる。
【００３５】
なお、上記実施例によれば、火災検知器の汚損警報出力機能で機種を分けたが、火災検知器の監視範囲を定義する火災検出機能で機種を分けてもよい。
【００３６】
また、火災パルスのパルス幅、間隔を変えることによって、火災信号パルス、一過性ノイズ、自動車無線、火災検知器故障等にそれぞれ対応させることができる。図３（２）に示すパルス幅一定、パルス間隔一定のパルス列を、たとえば、火災信号パルスに対応させ、図３（３）に示すパルス幅一定、パルス間隔変動のパルス列を、たとえば、一過性ノイズに対応させるようにしてもよい。また、図３（４）に示すパルス幅変動、パルス間隔一定のパルス列を、たとえば、自動車無線に対応させ、図３（５）に示すパルス幅変動、パルス間隔変動のパルス列を、たとえば、火災検知器故障に対応させるようにしてもよい。
【００３７】
したがって、模擬トンネル火災検知器３０によれば、いずれかの回線による個別出力、複数の回線による同時出力等、実機に近い状態で再現することができる。
【００３８】
また、上記実施例によれば、ＰＣモニタ（表示・操作手段３１のモニタ）上から、種々の火災パルスを設定することができ、また、区画短絡等を、任意に設定できるので、防災受信盤１０が稼働後に想定される様々な条件下での動作確認ができる。
【００３９】
さらに、上記実施例によれば、火災パルスを防災受信盤１０に送信する場合、表示・操作手段３１のモニタ上で火災パルスを表示し、それを視認できるので、出力されている火災パルスを容易に確認することができる。また、１台の模擬トンネル火災検知器３０によって、多種多様の火災パルスや出力信号を出力することができ、しかも、従来使用されていた各種スイッチを使用しないので、機器サイズを小さくすることができる。
【符号の説明】
【００４０】
１００…防災システム、  １０…防災受信盤、  ３０…模擬トンネル火災検知器、
３１…表示・操作手段、  ３２…データベース、  ３３…メイン制御手段、
３４…火災パルス生成手段、  ３５…火災パルス送信手段・短絡制御手段。
【図１】
2011215944.tif 000003
【図２】
2011215944.tif 000004
【図３】
2011215944.tif 000005